(57)【要約】【課題】ＨＤＤを含む、複数の駆動装置が一体化された複合記録再生装置において、ＨＤＤのプラッタを回転させることによって発生する振動に起因する、ＨＤＤ以外の駆動装置のサーボの乱れをできるだけ防止し、消費電力を抑え、ＨＤＤへ記録したい情報の一部が記録されずに抜け落ちてしまうことのない複合記録再生装置を提供する。【解決手段】システムコントローラ７は、ＨＤＤ２に対する記録の要求も再生の要求も無く、ＶＣＲ３が記録又は再生を行っているときには、ＨＤＤ２のプラッタの回転を止め、プラッタの回転が安定していないＨＤＤ２に対する情報の記録要求が開始されたときには、ＨＤＤ２のプラッタの回転が安定するまで、フラッシュメモリ５に情報を記録し、ＨＤＤ２のプラッタの回転が安定後、フラッシュメモリ５に記録された情報を、ＨＤＤ２に記録する。【選択図】図１
2007134011.tif 000002
【特許請求の範囲】
【請求項１】
ハードディスクドライブと、ビデオカセットレコーダーと、ＤＶＤレコーダーの３種類の駆動装置が一体化され、
前記３種類の駆動装置の動作を制御するシステムコントローラを備えた複合記録再生装置において、
フラッシュメモリを備え、
前記システムコントローラは、前記ハードディスクドライブに対する記録又は再生の要求が無く、前記ビデオカセットレコーダーが記録又は再生を行っているときには、前記ハードディスクドライブのプラッタの回転を停止させ、前記プラッタの回転が安定していないときに、前記ハードディスクドライブに対する情報の記録要求が開始された場合、前記ハードディスクドライブの前記プラッタの回転が安定するまでの間、前記フラッシュメモリに情報を記録させ、前記ハードディスクドライブの前記プラッタの回転が安定後、前記フラッシュメモリに記録された情報を前記ハードディスクドライブに記録する動作と、前記ハードディスクドライブに記録したい情報を前記フラッシュメモリに記録する動作とを繰り返し行わせることを特徴とする複合記録再生装置。
【請求項２】
ハードディスクドライブと、ビデオカセットレコーダーとを含む、対応する記録媒体に対する記録再生を行う複数の駆動装置が一体化され、
前記複数の駆動装置の動作を制御するシステムコントローラを備えた複合記録再生装置において、
メモリを備え、
前記システムコントローラは、前記ハードディスクドライブに対する記録又は再生の要求が無く、前記ビデオカセットレコーダーが記録又は再生を行っているときには、前記ハードディスクドライブのプラッタの回転を停止させ、前記プラッタの回転が安定していないときに、前記ハードディスクドライブに対する情報の記録要求が開始された場合、前記ハードディスクドライブの前記プラッタの回転が安定するまでの間、前記メモリに情報を記録させ、前記ハードディスクドライブの前記プラッタの回転が安定後、前記メモリに記録された情報を前記ハードディスクドライブに記録させることを特徴とする複合記録再生装置。
【請求項３】
ハードディスクドライブを含む、対応する記録媒体に対する記録再生を行う複数の駆動装置が一体化され、
前記複数の駆動装置の動作を制御するシステムコントローラを備えた複合記録再生装置において、
メモリを備え、
前記システムコントローラは、前記ハードディスクドライブに対する記録又は再生の要求が無く、前記ハードディスクドライブ以外の駆動装置が記録又は再生を行っているときには、前記ハードディスクドライブのプラッタの回転を停止させ、前記プラッタの回転が安定していないときに、前記ハードディスクドライブに対する情報の記録要求が開始された場合、前記ハードディスクドライブの前記プラッタの回転が安定するまでの間、前記メモリに情報を記録させ、前記ハードディスクドライブの前記プラッタの回転が安定後、前記メモリに記録された情報を前記ハードディスクドライブに記録させることを特徴とする複合記録再生装置。
【請求項４】
前記メモリに記録された情報を前記ハードディスクドライブに記録する動作を第１の動作とし、前記ハードディスクドライブに記録したい情報を前記メモリに記録する動作を第２の動作とすると、
前記システムコントローラは、前記プラッタの回転が安定後、前記第１の動作と前記第２の動作とを繰り返し行わせることを特徴とする請求項２または３に記載の複合記録再生装置。
【請求項５】
前記メモリに記録された情報を前記ハードディスクドライブに記録する動作を第１の動作とし、記録したい情報を直接前記ハードディスクドライブに記録する動作を第３の動作とすると、
前記システムコントローラは、前記プラッタの回転が安定後、前記第３の動作を行わせ、前記第３の動作の終了後、前記第１の動作を行わせることを特徴とする請求項２または３に記載の複合記録再生装置。
【請求項６】
前記メモリに記録された情報を前記ハードディスクドライブに記録する動作を第１の動作とし、記録したい情報を直接前記ハードディスクドライブに記録する動作を第３の動作とすると、
前記システムコントローラは、前記プラッタの回転が安定後、前記第１の動作と前記第３の動作とを同時に行わせることを特徴とする請求項２または３に記載の複合記録再生装置。
【発明の詳細な説明】
【技術分野】
【０００１】
本発明は、ＨＤＤ（ハードディスクドライブ）を含む、対応する記録媒体に対する記録再生を行う複数の駆動装置が一体化された複合記録再生装置に関する。
【背景技術】
【０００２】
近年、対応する記録媒体に対する記録再生を行う複数の駆動装置が一体化された複合記録再生装置が注目を集めている。代表的な複合記録再生装置としては、ＨＤＤ、ＶＣＲ（ビデオカセットレコーダー）、及びＤＶＤ（ディジタルバーサタイルディスク）レコーダーの３つが一体化されたものが挙げられる。この複合記録再生装置は、ＨＤＤ、ＶＣＲ、ＤＶＤレコーダーの間で６方向のダビングが可能であるなどの便利な機能を有する。
【０００３】
このような、ＨＤＤを含む、複数の駆動装置が一体化された複合記録再生装置に関する発明としては、特許文献１、特許文献２、特許文献３に記載のものが知られている。
【０００４】
特許文献１に記載の発明は、ＨＤＤと、ＣＤ−ＲＯＭやＤＶＤ−ＲＯＭなどの記録媒体を着脱可能に装着する駆動装置とを備えた情報処理装置において、ＨＤＤの動作障害を防ぐための情報処理装置の制御方法に関するものである。
【０００５】
特許文献１に記載の発明によると、ＨＤＤの振動加速度がある閾値を超えるか、あるいは位置決め誤差信号がある閾値を超えると、ＣＤ−ＲＯＭやＤＶＤ−ＲＯＭなどの、記録媒体を着脱可能に装着する駆動装置のモーターの回転数を抑える。したがって、記録媒体を着脱可能に装着する駆動装置のモーターの回転に起因する振動が低下するので、ＨＤＤの動作障害が防止される。
【０００６】
特許文献２に記載の発明は、ＨＤＤを備えた複合記録再生装置において、ＨＤＤの消費電力が大きい、ＨＤＤの寿命が他の駆動装置と比べて短いという問題点の改善のための複合記録再生装置の制御方法に関するものである。
【０００７】
特許文献２に記載の発明によると、装置内の温度調節機能を持たせ、ＨＤＤが低温状態でいきなり起動することがないように制御すること、ＨＤＤのプラッタの回転をアイドル時にストップすることによって、ＨＤＤの寿命が延び、消費電力が抑えられる。
【０００８】
特許文献３に記載の発明は、ＨＤＤを備えた情報処理装置において、省電力化、使い勝手の向上のための情報処理装置の制御方法に関するものである。
【０００９】
特許文献３に記載の発明によると、ＨＤＤの使用・未使用状態を監視し、使用・未使用状態やバッテリーの残存量に応じてＨＤＤの回転モーターの自動停止時間を可変とすることによって、情報処理装置の省電力化、使い勝手の向上が達成される。
【特許文献１】特開２００４−１２７３５６号公報
【特許文献２】特開２００２−３２４３９１号公報
【特許文献３】特開平９−２３７４６３号公報
【発明の開示】
【発明が解決しようとする課題】
【００１０】
ところで、従来の、ＨＤＤを含む、複数の駆動装置が一体化された複合記録再生装置においては、ＨＤＤのプラッタを常に回転させていないと、ＨＤＤへの記録又は再生の要求が開始されてから、記録又は再生動作が開始されるまでの間にタイムラグが生じ、それによって記録したい情報の一部（放送番組の冒頭部分など）が記録されずに抜け落ちてしまうことが起こり得る。一方、ＨＤＤ以外の駆動装置を用いて記録又は再生を行っているときに、ＨＤＤのプラッタを回転させていると、その回転が引き起こす振動で、ＨＤＤ以外の駆動装置のサーボの乱れが生じる。特に、ＨＤＤのプラッタを回転させているときに、ＶＣＲによる記録又は再生を行うと、ＶＣＲのサーボの乱れが大きくなる。また、ＨＤＤのプラッタを常に回転させておくことによる消費電力の増大も問題となる。
【００１１】
以上の問題点を鑑みて、本発明においては、ＨＤＤを含む、複数の駆動装置が一体化された複合記録再生装置において、ＨＤＤのプラッタを回転させることによる振動に起因する、ＨＤＤ以外の駆動装置のサーボの乱れをできるだけ防止し、消費電力を抑え、かつＨＤＤへ記録したい情報の一部が記録されずに抜け落ちてしまうことのない複合記録再生装置を提供することを目的とする。
【課題を解決するための手段】
【００１２】
本発明においては、複合記録再生装置は、ハードディスクドライブと、ビデオカセットレコーダーと、ＤＶＤレコーダーの３種類の駆動装置が一体化され、前記３種類の駆動装置の動作を制御するシステムコントローラを備えた複合記録再生装置において、フラッシュメモリを備え、前記システムコントローラは、前記ハードディスクドライブに対する記録又は再生の要求が無く、前記ビデオカセットレコーダーが記録又は再生を行っているときには、前記ハードディスクドライブのプラッタの回転を停止させ、前記プラッタの回転が安定していないときに、前記ハードディスクドライブに対する情報の記録要求が開始された場合、前記ハードディスクドライブの前記プラッタの回転が安定するまでの間、前記フラッシュメモリに情報を記録させ、前記ハードディスクドライブの前記プラッタの回転が安定後、前記フラッシュメモリに記録された情報を前記ハードディスクドライブに記録する動作と、前記ハードディスクドライブに記録したい情報を前記フラッシュメモリに記録する動作とを繰り返し行わせることを特徴とする。
【００１３】
これによると、ＨＤＤと、ＶＣＲと、ＤＶＤレコーダーの３種類の駆動装置が一体化された複合記録再生装置において、ＨＤＤのプラッタを回転させることによる振動に起因する、ＶＣＲのサーボの乱れをできるだけ防止し、消費電力を抑え、かつＨＤＤへ記録したい情報の一部が記録されずに抜け落ちてしまうことのない複合記録再生装置が提供される。
【００１４】
本発明においては、複合記録再生装置は、ハードディスクドライブと、ビデオカセットレコーダーとを含む、対応する記録媒体に対する記録再生を行う複数の駆動装置が一体化され、前記複数の駆動装置の動作を制御するシステムコントローラを備えた複合記録再生装置において、メモリを備え、前記システムコントローラは、前記ハードディスクドライブに対する記録又は再生の要求が無く、前記ビデオカセットレコーダーが記録又は再生を行っているときには、前記ハードディスクドライブのプラッタの回転を停止させ、前記プラッタの回転が安定していないときに、前記ハードディスクドライブに対する情報の記録要求が開始された場合、前記ハードディスクドライブの前記プラッタの回転が安定するまでの間、前記メモリに情報を記録させ、前記ハードディスクドライブの前記プラッタの回転が安定後、前記メモリに記録された情報を前記ハードディスクドライブに記録させることを特徴とする。
【００１５】
これによると、ＨＤＤに対する記録又は再生の要求が無く、ＶＣＲによる記録又は再生が行われているときに、ＨＤＤのプラッタの回転を停止するので、ＨＤＤに対する記録又は再生の要求が無いときには、ＨＤＤのプラッタを回転させることによる振動に起因する、ＶＣＲのサーボの乱れを防止することが可能となる。ＨＤＤに対する記録又は再生の要求が無く、ＶＣＲによる記録又は再生が行われているときに、ＨＤＤのプラッタの回転を止めることは、消費電力削減にもつながる。また、ＨＤＤのプラッタの回転が安定していないときに、ＨＤＤに対する記録要求が開始された場合、通常は、ＨＤＤのプラッタの回転が安定するまで待たなければならないが、本発明においては、ＨＤＤのプラッタの回転が安定するまでの間はメモリに情報を記録し、ＨＤＤのプラッタの回転が安定した後に、メモリに記録した情報をＨＤＤに記録するので、ＨＤＤへ記録したい情報の一部が記録されずに抜け落ちてしまうことが無く、ＨＤＤのプラッタの回転を止めたことによる悪影響が防止される。
【００１６】
本発明においては、複合記録再生装置は、ハードディスクドライブを含む、対応する記録媒体に対する記録再生を行う複数の駆動装置が一体化され、前記複数の駆動装置の動作を制御するシステムコントローラを備えた複合記録再生装置において、メモリを備え、前記システムコントローラは、前記ハードディスクドライブに対する記録又は再生の要求が無く、前記ハードディスクドライブ以外の駆動装置が記録又は再生を行っているときには、前記ハードディスクドライブのプラッタの回転を停止させ、前記プラッタの回転が安定していないときに、前記ハードディスクドライブに対する情報の記録要求が開始された場合、前記ハードディスクドライブの前記プラッタの回転が安定するまでの間、前記メモリに情報を記録させ、前記ハードディスクドライブの前記プラッタの回転が安定後、前記メモリに記録された情報を前記ハードディスクドライブに記録させることを特徴とする。
【００１７】
これによると、ＨＤＤに対する記録又は再生の要求が無く、ＨＤＤ以外の駆動装置による記録又は再生が行われているときに、ＨＤＤのプラッタの回転を停止するので、ＨＤＤに対する記録又は再生の要求が無いときには、ＨＤＤのプラッタを回転させることによる振動に起因する、ＨＤＤ以外の駆動装置のサーボの乱れを防止することが可能となる。ＨＤＤに対する記録又は再生の要求が無く、ＨＤＤ以外の駆動装置による記録又は再生が行われているときに、ＨＤＤのプラッタの回転を止めることは、消費電力削減にもつながる。また、ＨＤＤのプラッタの回転が安定していないときに、ＨＤＤに対する記録要求が開始された場合、通常は、ＨＤＤのプラッタの回転が安定するまで待たなければならないが、本発明においては、ＨＤＤのプラッタの回転が安定するまでの間はメモリに情報を記録し、ＨＤＤのプラッタの回転が安定した後に、メモリに記録した情報をＨＤＤに記録するので、ＨＤＤへ記録したい情報の一部が記録されずに抜け落ちてしまうことが無く、ＨＤＤのプラッタの回転を止めたことによる悪影響が防止される。
【００１８】
本発明においては、上記構成の複合記録再生装置において、前記メモリに記録された情報を前記ハードディスクドライブに記録する動作を第１の動作とし、前記ハードディスクドライブに記録したい情報を前記メモリに記録する動作を第２の動作とすると、前記システムコントローラは、前記プラッタの回転が安定後、前記第１の動作と前記第２の動作とを繰り返し行わせることを特徴とする。
【００１９】
これによると、例えば、放送情報をプラッタの回転が安定していないＨＤＤに記録開始した場合に、放送の順序通りにＨＤＤに記録することができる。
【００２０】
本発明においては、上記構成の複合記録再生装置において、前記メモリに記録された情報を前記ハードディスクドライブに記録する動作を第１の動作とし、記録したい情報を直接前記ハードディスクドライブに記録する動作を第３の動作とすると、前記システムコントローラは、前記プラッタの回転が安定後、前記第３の動作を行わせ、前記第３の動作の終了後、前記第１の動作を行わせることを特徴とする。
【００２１】
これによると、例えば、放送情報をプラッタの回転が安定していないＨＤＤに記録開始した場合に、メモリを介してＨＤＤに記録する情報を極力少なくすることができるので、メモリへの書き込み・読み出し動作を極力少なくすることができ、また、メモリの容量を小さくすることが可能となる。
【００２２】
本発明においては、上記構成の複合記録再生装置において、前記メモリに記録された情報を前記ハードディスクドライブに記録する動作を第１の動作とし、記録したい情報を直接前記ハードディスクドライブに記録する動作を第３の動作とすると、前記システムコントローラは、前記プラッタの回転が安定後、前記第１の動作と前記第３の動作とを同時に行わせることを特徴とする。
【００２３】
ＨＤＤが２種類の記録情報を同時に記録できるならば、これによると、例えば、放送情報をプラッタの回転が安定していないＨＤＤに記録開始した場合に、メモリを介してＨＤＤに記録する情報を極力少なくすることができるので、メモリへの書き込み・読み出し動作を極力少なくすることができ、また、メモリの容量を小さくすることが可能となる。そして、放送終了と記録終了の間のタイムラグを無くすことが可能である。
【発明の効果】
【００２４】
本発明によると、ＨＤＤを含む、複数の駆動装置が一体化された複合記録再生装置において、ＨＤＤのプラッタを回転させることによる振動に起因する、ＨＤＤ以外の駆動装置のサーボの乱れをできるだけ防止し、消費電力を抑え、かつＨＤＤへ記録したい情報の一部が記録されずに抜け落ちてしまうことのない複合記録再生装置が提供される。
【発明を実施するための最良の形態】
【００２５】
本発明の実施形態について、図面を用いて説明すれば以下の通りである。
【００２６】
図１は、本発明の実施形態に係る複合記録再生装置１の主要構成を示すブロック図である。複合記録再生装置１は、ＨＤＤ２（ハードディスクドライブ、駆動装置）と、ＶＣＲ３（ビデオカセットレコーダー、駆動装置）と、ＤＶＤレコーダー４（駆動装置）と、フラッシュメモリ５（メモリ）とを備えており、フラッシュメモリ５は、ＨＤＤ２に接続されている。
【００２７】
そして、ＨＤＤ２と、ＶＣＲ３と、ＤＶＤレコーダー４とは出力選択部６に接続されている。また、ＨＤＤ２と、ＶＣＲ３と、ＤＶＤレコーダー４と、フラッシュメモリ５と、出力選択部６とは、システムコントローラ７に接続されている。出力選択部６には、テレビジョン装置８が接続されている。
【００２８】
上記構成により、ＨＤＤ２は、記録された情報の再生時、内蔵されたプラッタからディジタル記録信号を読み出して所定の信号処理を施すことにより、出力信号を取得して出力選択部６に出力する。また、放送情報などの記録時においては、放送信号などに所定の信号処理を施すことにより、プラッタへの書き込みを行う。なお、本発明においては、記録とは、情報の消去も含むものとする。
【００２９】
ＶＣＲ３は、ビデオテープに記録された情報の再生時、ビデオテープからビデオ記録信号を読み出して所定の信号処理を施すことにより、出力信号を取得して出力選択部６に出力する。また、放送情報などの記録時においては、放送信号などに所定の信号処理を施すことにより、ビデオテープへの書き込みを行う。
【００３０】
ＤＶＤレコーダー４は、ＤＶＤに記録された情報の再生時、ＤＶＤからディジタル記録信号を読み出して所定の信号処理を施すことにより、出力信号を取得して出力選択部６に出力する。また、放送情報などの記録時においては、放送信号などに所定の信号処理を施すことにより、ＤＶＤへの書き込みを行う。
【００３１】
フラッシュメモリ５は、情報を記録すること、記録された情報をＨＤＤ２に記録するために出力することが可能である。フラッシュメモリ５は、放送情報などの記録時、放送信号などに所定の信号処理を施すことにより、内蔵された半導体素子への書き込みを行う。また、フラッシュメモリ５は、記録された情報のＨＤＤ２への出力時においては、半導体素子からディジタル記録信号を読み出して所定の信号処理を施すことにより、出力信号を取得して、ＨＤＤ２に出力する。
【００３２】
そして、出力選択部６は、ＨＤＤ２から供給される出力信号と、ＶＣＲ３から供給される出力信号と、ＤＶＤレコーダー４から供給される出力信号のいずれか１つを選択してテレビジョン装置８に出力する。
【００３３】
また、システムコントローラ７は、ＨＤＤ２と、ＶＣＲ３と、ＤＶＤレコーダー４と、フラッシュメモリ５と、出力選択部６とに接続されており、これらに対して制御指示信号を出力することで、各種動作を実行させている。
【００３４】
次に、本発明の実施形態に係るＨＤＤ２について、詳細を説明する。図２は、本発明の実施形態に係るＨＤＤ２の主要構成を示すブロック図である。ＨＤＤ２は、プラッタ２１と、記録再生機構２２と、サーボ信号処理部２３と、信号処理部２４とを備えている。
【００３５】
ＨＤＤ２に記録された情報の再生時においては、記録再生機構２２がプラッタ２１に記録されたディジタル記録信号を読み取り、サーボ信号処理部２３がトラッキングサーボなどの各種サーボに対して制御信号を送出し、記録再生機構２２の動作を制御する。そして、信号処理部２４は、記録再生機構２２で読み取られたディジタル記録信号に各種の信号処理を施し、出力信号を出力選択部６に出力する。
【００３６】
ＨＤＤ２への情報の記録について、放送情報の記録を例に説明する。ＨＤＤ２への放送情報の記録時においては、不図示のチューナーが放送信号を受信して、受信した放送信号に対応する中間周波信号を信号処理部２４に出力し、信号処理部２４がその中間周波信号に各種信号処理を施し、得られた記録信号が記録再生機構２２によってプラッタ２１に記録される。また、サーボ信号処理部２３によって制御信号が送出され、記録再生機構２２の動作が制御される。
【００３７】
次に、本発明の実施形態に係るＶＣＲ３について、詳細を説明する。図３は、本発明の実施形態に係るＶＣＲ３の主要構成を示すブロック図である。ＶＣＲ３は、記録再生機構３１と、サーボ信号処理部３２と、信号処理部３３とを備えている。
【００３８】
ビデオテープ９に記録された情報の再生時においては、記録再生機構３１がビデオテープ９に記録されたビデオ記録信号を読み取り、サーボ信号処理部３２がドラムサーボなどの各種サーボに対して制御信号を送出し、記録再生機構３１の動作を制御する。そして、信号処理部３３は、記録再生機構３１で読み取られたビデオ記録信号に各種の信号処理を施し、出力信号を出力選択部６に出力する。
【００３９】
ビデオテープ９への情報の記録について、放送情報の記録を例に説明する。ビデオテープ９への放送情報の記録時においては、不図示のチューナーが放送信号を受信して、受信した放送信号に対応する中間周波信号を信号処理部３３に出力し、信号処理部３３がその中間周波信号に各種信号処理を施し、得られた記録信号が記録再生機構３１によってビデオテープ９に記録される。また、サーボ信号処理部３２によって制御信号が送出され、記録再生機構３１の動作が制御される。
【００４０】
次に、本発明の実施形態に係るＤＶＤレコーダー４について、詳細を説明する。図４は、本発明の実施形態に係るＤＶＤレコーダー４の主要構成を示すブロック図である。ＤＶＤレコーダー４は、光ピックアップ４１と、サーボ信号処理部４２と、信号処理部４３とを備えている。
【００４１】
ＤＶＤ１０に記録された情報の再生時においては、光ピックアップ４１がＤＶＤ１０に記録されたディジタル記録信号を読み取り、サーボ信号処理部４２がトラッキングサーボなどの各種サーボに対して制御信号を送出し、光ピックアップ４１の動作を制御する。そして、信号処理部４３は、光ピックアップ４１で読み取られたディジタル記録信号に各種の信号処理を施し、出力信号を出力選択部６に出力する。
【００４２】
ＤＶＤ１０への情報の記録について、放送情報の記録を例に説明する。ＤＶＤ１０への放送情報の記録時においては、不図示のチューナーが放送信号を受信して、受信した放送信号に対応する中間周波信号を信号処理部４３に出力し、信号処理部４３がその中間周波信号に各種信号処理を施し、得られた記録信号が光ピックアップ４１によってＤＶＤ１０に記録される。また、サーボ信号処理部４２によって制御信号が送出され、光ピックアップ４１の動作が制御される。
【００４３】
ところで、一般に生産・使用されている、ＨＤＤ２と、ＶＣＲ３と、ＤＶＤレコーダー４とが一体化された複合記録再生装置においては、ＨＤＤ２は、複合記録再生装置の電源が入力されているときには、プラッタ２１を常に回転させ続けている。これは、ＨＤＤ２に情報を記録したり、ＨＤＤ２に記録された情報を再生したりしたいときに、すぐに対応できるようにするためである。
【００４４】
しかしながら、ＨＤＤ２のプラッタ２１を回転させると、当然、振動が引き起こされる。その振動によって、特に影響を受けるのが、ＶＣＲ３のサーボ信号処理部３２である。ＶＣＲ３の記録又は再生中に、ＨＤＤ２のプラッタ２１を回転させることによって発生する振動は、サーボ信号処理部３２の制御信号を乱し、それによって、ジッタリングやワウ・フラッタなどが発生する。このジッタリングやワウ・フラッタなどは、画面の揺れ・曲がりや、音程の変化、音質の濁りなどをもたらす。
【００４５】
そのため、本実施形態に係る複合記録再生装置１においては、システムコントローラ７は、図５のフローチャートに示す制御を行う。すなわち、複合記録再生装置１の電源が入力されているときには（Ｓ1）、ＶＣＲ３の記録又は再生が行われているかどうかを監視する（Ｓ2）。ＶＣＲ３の記録も再生も行われていない場合は、ＨＤＤ２のプラッタ２１を回転させ（Ｓ3）、ＶＣＲ３の記録又は再生が行われている場合は、ＨＤＤ２に対する記録又は再生の要求があるかどうかを検出する（Ｓ4）。ＨＤＤ２に対する記録又は再生の要求がある場合は、ＨＤＤ２のプラッタ２１を回転させ（Ｓ3）、ＨＤＤ２に対する記録の要求も再生の要求も無い場合はＨＤＤ２のプラッタ２１の回転を停止させる（Ｓ5）。
【００４６】
なお、本発明においては、情報の記録又は再生の要求は、情報の記録又は再生動作開始時にのみあるものではなく、情報の記録又は再生動作継続中も常にあるものとする。例えば、１００秒の放送情報をＶＣＲ３によって記録する場合、ＶＣＲ３への放送情報の記録要求は、１００秒の放送の開始時点のみならず、１００秒間の記録動作継続中、常にあり続けることとなる。
【００４７】
また、上記システムコントローラ７の制御手順において、ＨＤＤ２が記録又は再生を行っているかどうかではなく、ＨＤＤ２に対する記録又は再生の要求があるかどうかを検出したのは、後述する、フラッシュメモリ５が記録を行っていて、ＨＤＤ２は記録を行っていないときに、ＨＤＤ２のプラッタ２１の回転を止めてしまわないようにするためである。後述するように、フラッシュメモリ５が記録を行っているときは、ＨＤＤ２に対する記録要求があるときなので、ＨＤＤ２のプラッタ２１の回転を止めることはない。
【００４８】
システムコントローラ７が上記の制御を行うことで、ＨＤＤ２に対する記録の要求も再生の要求も無く、ＶＣＲ３が記録又は再生を行っているときには、ＨＤＤ２のプラッタ２１の回転を停止することとなる。よって、ＨＤＤ２に対する記録の要求も再生の要求も無いときには、ＨＤＤ２のプラッタ２１を回転させることによって発生する振動に起因する、ＶＣＲ３のサーボの乱れを防止することができる。また、ＨＤＤ２に対する記録の要求も再生の要求も無く、ＶＣＲ３が記録又は再生を行っているときに、ＨＤＤ２のプラッタ２１の回転を停止することは、省電力化にもつながる。
【００４９】
システムコントローラ７が上記の制御を行うと、ＨＤＤ２のプラッタ２１の回転が安定していない状態で、ＨＤＤ２への記録要求が開始されることが起こり得る。なお、ここで、ＨＤＤ２のプラッタ２１の回転が安定している状態とは、ＨＤＤ２への記録要求が開始されたときに、タイムラグなしにＨＤＤ２に直接記録を開始することができる状態を指す。
【００５０】
ＨＤＤ２のプラッタ２１の回転が安定していない状態で、ＨＤＤ２への記録要求が開始されると、通常は、ＨＤＤ２のプラッタ２１の回転が安定するまで待たねばならず、ＨＤＤ２への記録又は再生の要求が開始されてから、記録又は再生動作が開始されるまでの間にタイムラグが生じ、それによって記録したい情報の一部が記録されずに抜け落ちてしまうことが起こり得る。
【００５１】
そこで、本実施形態に係る複合記録再生装置１においては、システムコントローラ７は、図６のフローチャートに示す制御を行う。すなわち、ＨＤＤ２への記録要求が開始されると（Ｓ11）、ＨＤＤ２のプラッタ２１の回転が安定しているかどうかを検出する（Ｓ12）。そして、ＨＤＤ２のプラッタ２１の回転が安定しているならば、そのままＨＤＤ２への記録を行わせる（Ｓ13）。ＨＤＤ２のプラッタ２１の回転が安定していないならば、フラッシュメモリ５への記録を行わせる（Ｓ14）。
【００５２】
そして、再びＨＤＤ２のプラッタ２１の回転が安定しているかどうかを検出し（Ｓ15）、ＨＤＤ２のプラッタ２１の回転が安定するまでは、フラッシュメモリ５への記録を続けさせる。ＨＤＤ２のプラッタ２１の回転が安定したならば、フラッシュメモリ５に記録された情報をＨＤＤ２へ記録させる（Ｓ16）。
【００５３】
なお、上記制御手順においては省略したが、ＨＤＤ２のプラッタ２１の回転停止時にＨＤＤ２に対する記録要求が開始された場合、当然、ＨＤＤ２のプラッタ２１の回転を開始させる。また、ＨＤＤ２への記録要求は、フラッシュメモリ５に記録を行っているときからＨＤＤ２への記録が終了するまで常にあり続けるものとする。
【００５４】
ここで、フラッシュメモリ５に記録された情報をＨＤＤ２へ記録する方法としては、以下で説明する３種類の方法が考えられる。なお、以下では、プラッタ２１の回転が止まっているＨＤＤ２に対して１００秒の放送情報を記録する場合を例にして説明する。また、回転開始からプラッタ２１の回転が安定するまでに必要な時間は１０秒とする。
【００５５】
第１の方法は、以下で説明される。まず、プラッタ２１の回転が安定するまでの最初の１０秒の放送情報をフラッシュメモリ５に記録する。そして、それ以降は、フラッシュメモリ５に記録された情報をＨＤＤ２に記録しつつ、放送情報をフラッシュメモリ５に記録することを繰り返す。つまり、全ての放送情報は、フラッシュメモリ５を介してＨＤＤ２に記録される。この方法はいわゆる追っかけ記録であり、放送の順序通りにＨＤＤ２に記録することができる。
【００５６】
第２の方法は、以下で説明される。まず、プラッタ２１の回転が安定するまでの最初の１０秒の放送情報をフラッシュメモリ５に記録する。そして、最初の１０秒の放送情報をフラッシュメモリ５に残しておき、時間１０秒以降の放送情報は直接ＨＤＤ２に記録する。そして、１００秒の放送終了後に、フラッシュメモリ５に記録された最初の１０秒の放送情報をＨＤＤ２に記録する。この方法は、フラッシュメモリ５を介してＨＤＤ２に記録する情報を極力少なくすることができるので、フラッシュメモリ５の書き込み・読み出し動作を極力少なくすることができ、また、フラッシュメモリ５の容量を小さくできる。
【００５７】
第３の方法は、以下で説明される。まず、プラッタ２１の回転が安定するまでの最初の１０秒の放送情報をフラッシュメモリ５に記録する。そして、最初の１０秒の放送情報をフラッシュメモリ５からＨＤＤ２に記録しつつ、同時に時間１０秒以降の放送情報を直接ＨＤＤ２に記録する。この方法は、ＨＤＤ２が２種類の記録情報を同時に記録できる場合に可能であり、フラッシュメモリ５を介してＨＤＤ２に記録する情報を極力少なくすることができるので、フラッシュメモリ５の書き込み・読み出し動作を極力少なくすることができ、また、フラッシュメモリ５の容量を小さくできる。そして、放送終了と記録終了との間にタイムラグが無いという利点もある。
【００５８】
システムコントローラ７が上記の制御を行うことで、複合記録再生装置１において、ＨＤＤ２のプラッタ２１の回転が安定していない状態で、ＨＤＤ２への記録要求が開始されたときでも、記録したい情報の一部が記録されずに抜け落ちてしまうことがない。
【００５９】
以上においては、システムコントローラ７は、ＨＤＤ２に対する記録の要求も再生の要求も無く、ＶＣＲ３が記録又は再生を行っているときに、ＨＤＤ２のプラッタ２１の回転を停止することとした。これは、ＨＤＤ２のプラッタ２１を回転させることによって発生する振動の影響を強く受けるのは、ＶＣＲ３のサーボ信号処理部３２であるからである。しかしながら、システムコントローラ７は、ＨＤＤ２に対する記録の要求も再生の要求も無く、ＤＶＤレコーダー４の記録又は再生が行われているときにおいても、ＨＤＤ２のプラッタ２１の回転を停止することとしてもよい。
【００６０】
ＤＶＤレコーダー４のサーボ信号処理部４２は、ＨＤＤ２のプラッタ２１を回転させることによって発生する振動の影響をあまり受けないが、このような構成とすることで更なる省電力効果が期待できる。
【００６１】
なお、本発明は上記の実施の形態に限定されず、本発明の趣旨を逸脱しない範囲で、種々の変更が可能である。例えば、複合記録再生装置１を構成する駆動装置は、ＨＤＤ２と、ＶＣＲ３と、ＤＶＤレコーダー４の３種類の駆動装置でなくともよく、ＨＤＤ２と、ＶＣＲ３の２種類の駆動装置であってもよい。
【産業上の利用可能性】
【００６２】
本発明は、ＨＤＤを含む複数の駆動装置が一体化された複合記録再生装置として有効である。
【図面の簡単な説明】
【００６３】
【図１】本発明の実施形態に係る複合記録再生装置の主要構成を示すブロック図である。
【図２】本発明の実施形態に係るＨＤＤの主要構成を示すブロック図である。
【図３】本発明の実施形態に係るＶＣＲの主要構成を示すブロック図である。
【図４】本発明の実施形態に係るＤＶＤレコーダーの主要構成を示すブロック図である。
【図５】本発明の実施形態に係るシステムコントローラの制御手順を示すフローチャートである。
【図６】本発明の実施形態に係るシステムコントローラの制御手順を示すフローチャートである。
【符号の説明】
【００６４】
１    複合記録再生装置
２    ＨＤＤ（ハードディスクドライブ、駆動装置）
３    ＶＣＲ（ビデオカセットレコーダー、駆動装置）
４    ＤＶＤレコーダー（駆動装置）
５    フラッシュメモリ（メモリ）
７    システムコントローラ
２１    プラッタ
【図１】
2007134011.tif 000003
【図２】
2007134011.tif 000004
【図３】
2007134011.tif 000005
【図４】
2007134011.tif 000006
【図５】
2007134011.tif 000007
【図６】
2007134011.tif 000008